(57)【特許請求の範囲】
【請求項１】
家具本体の背面と所定の取付面とを対面させて当該取付面に対して前記家具本体を取り付けるための取付部材であって、
前記家具本体に係り合って取り付けられ当該家具本体を支持し得る第１の取付部と、前記取付面に設けたフック孔に引っ掛かり可能なフックを有する第２の取付部とを備えてなり、
前記第１の取付部が、前記家具本体の背面側に開口するスリットに挿入される板状をなすものであり、
前記フックを前記フック孔に引っ掛けて係わり合わせることより第２の取付部を前記取付面に対して取り付け前記家具本体を前記第１の取付部と係り合わせようとする係り合わせ準備位置に配置した状態において、前記フック孔に引っ掛けた前記フックをフック孔の幅方向に移動させる操作力を付与することによって第１の取付部の前記スリットに対する位置調整をし得る操作部を設け、
かつ、第１の取付部の上端部における後側のコーナ部分を略三角形状に切り欠いた形状に成形したガイド部を設けており、このガイド部が、前記スリットの開口縁部の上端を当接しつつ所定の挿入方向へ誘導する
ことを特徴とする取付部材。
【請求項２】
スリットが、上下方向に沿った長尺なものである請求項１記載の取付部材。
【請求項３】
操作部が、第２の取付部の一端を延長させて一体的に設けられたものである請求項１または２記載の取付部材。
【請求項４】
操作部が、第２の取付部の下方に設けられたものである請求項１、２または３記載の取付部材。
【請求項５】
家具本体を、その背面を所定の取付面に対面させ当該取付面に対して請求項１、２、３または４記載の取付部材を介して取り付けるようにした取付構造であって、前記取付部材の前記第１の取付部が、前記家具本体の背面側に開口するスリットに挿入される板状の挿入片であり、
前記スリットの開口縁部近傍に、前記挿入片を当該スリットの内部へ誘導するテーパ面を設けた取付構造。
【請求項６】
家具本体を、その背面を所定の取付面に対面させ当該取付面に対して請求項１、２、３または４記載の取付部材を介して取り付けるようにした取付構造であって、前記取付部材の前記第１の取付部が、前記家具本体の背面側に開口するスリットに係り合う板状の挿入片であり、
前記家具本体をこの取付部材に固定する際に、前記挿入片の上端をスリットの内部に設けられた下向き面に当てて上下方向の位置決めを行うようにしている取付構造。
【発明の詳細な説明】
【０００１】
【発明の属する技術分野】
本発明は、家具本体を所定の取付面に取り付ける取付構造及び取付部材に関するものである。
【０００２】
従来、例えばキャビネットのような家具本体を、その背面をパネルの前面に対面させて当該パネルの前面に取り付ける場合には、これらキャビネットとパネルの前面との間に取付部材であるブラケットを介在させて取り付けるようにしているものが見られる。
【０００３】
具体的には、このようなブラケットとしては、キャビネットの背面に開口するように設けられた上下方向に沿うスリットに係り合って当該キャビネットを支持し得る板状のキャビネット側取付部と、パネルの前面に取り付け得るパネル側取付部とを具備してなるようなものが使用される。そして、このブラケットを介して前記キャビネットをパネルの前面に取り付ける場合には、まずパネル側取付部をパネルの前面に取り付けた状態のブラケットに対して、キャビネットを正面から持ち上げて前記キャビネット側取付部を斜め上方からスリットに挿入していき、これらキャビネット側取付部とスリットが係り合った状態でねじなど適宜の手段で固定してキャビネットを取り付けるようにしている。
【０００４】
【発明が解決しようとする課題】
ところが、このようなものにおいて、例えば、前記キャビネット側取付部をパネルの前面に対して取り付けるための固定手段が、パネル側取付部に設けられたフックと、パネルに設けられたフック孔であるような場合には、キャビネットをブラケットに対して取り付ける段階において、パネルの前面に取り付けた状態のブラケットが、フック孔とフックとの接点を支点として回動するように若干動く可能性があり、このような状態のブラケットのキャビネット側取付部を、キャビネットの背面側に開口するスリットに挿入するという作業は難しくなってしまうという不具合があった。また、このようにフック孔とフックとによってパネルの前面に対して取り付けられているもの以外であっても、このようなブラケットは、キャビネットの背面側に位置することになり、加えてその高さ方向の寸法が家具本体の高さ寸法以下に設定されているものが多いため、ブラケットの位置が確認し辛く、前記取付面に取り付けた状態のブラケットのキャビネット側取付部に対してスリットを差し込むようにしてキャビネットを正面上方から取り付る作業は難いものとなる。
【０００５】
一方、キャビネット側に設けられた前記スリット開口縁部の幅寸法は、キャビネット側取付部を挿入した状態でがたついたりしないように、キャビネット側取付部の幅寸法と略一致もしくは若干大きい程度に設定されている場合が多く、このためキャビネットの背面側に開口するスリットにキャビネットを挿入する動作を極めて難しくしている。
【０００６】
さらに、キャビネットをブラケットに対して固定する段階においては、ブラケットの上端とスリットの開口縁部の上端部分が当接する位置で上下方向の位置決めがなされる場合が多くみられるが、このようなものであると、スリットを高い精度で設けることは難しいため適正な位置決めが行い難く、この結果、家具本体のブラケットに対する取付作業を難しいものとしていた。
【０００７】
そしてこれらの不具合は、キャビネネットのみならず、家具本体をその背面を所定の取付面に対面させて取り付ける場合には同様に起こりうるものである。
【０００８】
以上のような不具合を解決すべく、簡単な構成で、家具本体を所定の取付面に対してスムーズに取り付けるための取付部材及び取付構造を提供する。
【０００９】
【課題を解決するための手段】
すなわち、本発明の取付部材は、家具本体の背面と所定の取付面とを対面させて当該取付面に対して前記家具本体を取り付けるためのものであって、家具本体に係り合って取り付けられ当該家具本体を支持し得る第１の取付部と、前記取付面側に係り合って取り付けられる第２の取付部とを備えてなり、前記フックを前記フック孔に引っ掛けて係わり合わせることより第２の取付部を前記取付面に対して取り付けて、家具本体と第１の取付部との係り合わせを開始しようとする係り合い準備位置に配置した家具本体に対して、前記フック孔に引っ掛けた前記フックをフック孔の幅方向に移動させる操作力を付与することによって第１の取付部の位置調整をし得る操作部を設けたものである。
【００１０】
ここで、家具本体の背面と所定の取付面とを対面させて当該取付面に対して前記家具本体を取り付けるとは、背面と取付面とが接触した状態で取り付けられるようなもののみならず、所定距離離間した状態で取り付けられるようなものも含むものである。
【００１１】
また、このような第１の取付部をそれぞれ前記取付面、前記家具本体に対して係り合わせて取り付けられる手段としては、ねじを利用したものや、フック孔及びフックを利用したものなど適宜の手段が挙げられる。なお、ここで、係り合うとは、凹凸係合のようなものの他、面同士が接触するようなものも含むものとする。
【００１２】
また係り合い準備位置とは、家具本体を取付部材に係り合わせるための作業を行う直前の位置のことで、例えば、係り合わせが凹凸形状であれば、凸部を凹部に挿入する直前の家具本体の位置や、係り合わせがねじとねじ孔とによって成されるものであれば、ねじ孔にねじとを位置決めしてねじ込み動作に入る直前の家具本体の位置等である。
【００１３】
このようなものであれば、この取付部材を所定の取付面に対して取り付けた状態で操作部によって前記第１の取付部の位置調整を行いながらこの第１の取付部と家具本体とを係り合わるようにしてスムーズに家具本体を取り付けることができるようになる。すなわち、従来は困難なものであった家具本体の背面側を所定の取付面に取り付けるための取付作業を簡単化することができるようになる。なお、この位置調整は、家具本体は、家具本体を持ち上げる者が行う態様であっても、家具本体を持ち上げた者以外の者によって行う態様であってもよい。
【００１４】
また、このような取付部材を構成する第１の取付部の具体的な態様としては、家具本体に設けられたスリットに差し込んで家具本体を支持し得る板状をなすものが挙げられる。
【００１５】
なお、ここでいうスリットは、上下方向に沿ったものの他、家具本体の幅方向に沿って設けられたものなども含むものである。
【００１６】
そして、このようにスリットに板状をなす第１の取付部を挿入するような態様のものにおいて、その挿入動作をスムーズなものとするためには、この第１の取付部材の一端に、前記スリットの開口縁部を当てながら所定の取り付け方向へ誘導するガイド部を設けることが望ましい。このようなガイド部としては、例えば、挿入方向に傾いた傾斜面や湾曲面などが挙げられる。
【００１７】
特にスリットが、上下方向に沿った長尺なものである場合には、ガイド部を第１の取付部の上端部に設けてこのガイド部をスリットの開口縁部の上端を当てながら挿入方向へ誘導するように構成するのが望ましい。このようなものであれば、例えば、ガイド部を斜め下方に向かって誘導するようなものに構成することで、家具本体を持ち上げて上下方向に沿った長尺なスリットを、第１の取付部に対して挿入する場合に、ガイド部による誘導に加えて重力を利用して挿入することができるようになるので、挿入動作を簡単化するのに極めて有効である。
【００１８】
一方、操作部として簡素で好ましい具体的な態様としては、第２の取付部の一端を延長させて一体的に設けられたものが挙げられる。
【００１９】
また、操作部として具体的な態様としては、第２の取付部の下方に設けられたものが挙げられ、このようなものであると、下方からその位置調整を行うことができるため、低い位置に取り付けられるものと比較してその取付作業が難しいと考えられる、デスクの上方や壁にかけるタイプのキャビネットなど高い位置に取り付ける場合に非常に有効な効果を奏する。
【００２０】
また、本発明の取付構造は、家具本体を、その背面を所定の取付面に対面させ当該取付面に対して上述の取付部材を介して取り付けるようにした取付構造であって、前記取付部材の前記第１の取付部が、前記家具本体に設けた凹部に係り合う凸部であり、前記凹部の開口縁部の少なくとも一部からこの凹部の内部へと誘導するようなテーパ面を設けて構成したものである。
【００２１】
このようなものであれば、取付部材の第１の取付部である凸部を凹部に挿入する際に、この凸部をテーパ面に沿わせるようにしてスムーズに係り合わせることができるようになり、すなわち、家具本体のスムーズな取り付けができるようになる。
【００２２】
そして、このような凹部及び凸部の具体的な態様としては、凹部が、家具本体の背面側に開口するスリットであり、凸部が、取付部材に設けられ前記スリットに差し込み得る挿入片であるものが挙げられる。
【００２３】
さらに、本発明の取付構造は、前記取付部材の前記第１の取付部が、前記家具本体に設けたスリットに係り合う板状の挿入片であり、前記家具本体をこの取付部材に固定する際に、前記挿入片の上端をスリットの内部に設けられた下向き面に当てて上下方向の位置決めを行うように構成するものである。
【００２４】
このようなものであれば、スリットに前記挿入片を挿入させて重力に従って下ろすだけで、家具本体の取付部材に対する上下方向の位置決めができるようになる。すなわち、位置決めのための作業を必要とせず、家具本体を取付面に対して取り付ける取付作業をスムーズに行うことができるようになる。さらに、このようなものであれば、家具本体を取付部材に対して取り付ける際に、家具本体の上下方向の位置決めを、差込部を差し込んで状態でスリットの上端部で行うようにすると、スリットを極めて高い精度で設けねばならずその製造を難しくしてしまうが、スリット自体の加工にはそれほど高い精度を必要とせずともよく製造を簡単化することができるようになる。また、挿入片に上下方向の位置決めの役割を兼ね備えさせるため、別部材によって位置決めする場合と比較すれば、部品点数を低減することにもなる。
【００２５】
【発明の実施の形態】
以下、本発明の一実施形態を、図面を参照して説明する。
【００２６】
本実施形態における取付部材たるブラケット１と、このブラケット１を利用した取付構造は、図１及び図２に示した家具本体たるキャビネットＣを所定の取付面たるパネルＰの前面Ｐ１に取り付けるために適用されたものである。
【００２７】
このキャビネットＣは、前面に開口する収納空間を有した箱体状の収納部２と、この開口を閉止する閉止位置（ｍ）と前記開口を開成位置（ｎ）との間を移動する扉３と、この扉３を開閉可能に支持する支持機構４とを備えてなるものである。なお、図２は、後述する外側板２４２を取り外して側板２４内部の内部の様子を視認可能に示したものである。
【００２８】
この収納部２は、板金素材からなる平面視矩形状の天板２１と、この天板２１と平面視同形状をなす底板２２と、これら天板２１と底板２２との間に位置する正面視縦長の矩形状の背板２３と、この背板２３の端部から扉３の形状に合わせて前方に膨出する側面視部分円弧状をなす左右一対の側板２４とを具備してなる。この側板２４は、内側板２４１と外側板２４２とからなり、これら外側板２４２と内側板２４１との間に空間を有する二重構造をなしている。そして、この空間内には、内側板２４１を補強するための仕切り板５を配している。この仕切り板５は、前記空間内側の幅寸法と略一致する大きさに設定した正面視矩形状をなすもので、本実施形態では金属製のものとしている。そして、例えば内側板２４１に当てる取付片を具備して適宜の手段によって内側板２４に固定して取り付けられるものである。さらに、この前側の空間ＳＰ１に、前記支持機構４が配設するとともに、この前側の空間ＳＰ１を前方に開口して形成した図示しない前スリットを設けて、この支持機構４を構成する支持アーム４１をこの前スリットから前方に向けて延ばし設けて扉３を開閉可能に支持するようにしている。そして、この支持アーム４１は、空間内に設けられた軸４２によって回動可能に支持されており、この前スリットの上下方向に沿って回動することによって、扉３を閉止位置から開成位置まで移動させることになる。さらに本実施の形態においては、前記仕切り板５は、前スリットと、後述する取付構造を構成する後スリットＳＬとの間を光学的に遮断する遮光部材としても機能するものである。また、内側板２４１には、その上下に奥行き方向に沿った補強部材６１、６２を取り付けている。この上下の補強部材６１、６２は、板金素材を折り曲げ加工を施したもので、その上下を内側板２４１に適宜の手段によって固定し、正面視コ字状に外側板２４２側に突出するように設けられたものである。そして、これら上下の補強部材６１、６２は、奥行き方向の長さ寸法は異なるが、外側板２４２側への突出幅は一致したものである。上側の補強部材６１は、内側板２４１の奥行き方向に渡って設けられたものであり、下側の補強部材６２は、前記仕切り板５に仕切られた後側の空間ＳＰ２に突出するように設けられたものである。また、上下補強部材６１、６２の後端部は側板２４の後端近傍まで設けられている。なお、外側板２４２にも図示しない補強部材が設けられている。
【００２９】
しかして、本実施の形態においては、このキャビネットＣを、ブラケット１を利用した取付構造によって、その背面をパネルＰの前面Ｐ１に対面させて当該パネルＰの前面Ｐ１に対して取り付けるようにしている。
【００３０】
詳述すると、まず、キャビネットＣ側には、この取付構造を構成するために、側板２４の内部の後側の空間ＳＰ２を背面側に開口させて、後述するキャビネット側取付部１１を挿入し得るスリットたる後スリットＳＬを形成している。具体的には、この後スリットＳＬは、図６に示すように、外側板２４２の後端を内側に折り曲げた後屈曲部２４２１と、背板２３の側端とが当接する部分に設けられたもので、これら後屈曲部２４２１と背板２３の側端とを跨るように略細長矩形状に切り欠いて設けたものである。そして、この後スリットＳＬの内部は、前記仕切り板５より後側の空間ＳＰ２に形成されることになる。この内部の幅寸法は、キャビネット側取付部１１をこの後スリットＳＬに挿入した状態で大きくぐらつかない程度に設定してある。そして本実施形態では、キャビネット側取付部１１の後スリットＳＬへの挿入動作がスムーズに行われるように、図７及び図９に示すように、上下の補強部材６１、６２の後スリットＳＬの開口縁部側に位置する上下２つのコーナ部分を切り欠いて、この後スリットＳＬの開口縁部から内部へ狭まっていくテーパ面Ｔを形成している。すなわち、図９に示すように、後スリットＳＬの開口縁部近傍において、このテーパ面Ｔのために内部からその開口縁部に向かって幅方向に広がっていくことになる。なお、本実施形態では、上下の補強部材に６１、６２にテーパ面Ｔを形成しているが、どちらか一方の補強部材のみにテーパ面Ｔを形成してもよい。また、この後スリットＳＬは、凹部に該当する。
【００３１】
一方、ブラケット１は、前記キャビネットＣよりも板厚寸法が大きな板状の板金素材を折り曲げ加工を施して成形したもので、キャビネットＣの奥行き方向に沿った第１の取付部たるキャビネット側取付部１１と、このキャビネット側取付部１１の後端からキャビネットＣの幅方向に沿って当該キャビネットＣから離間する方向に伸びた折曲部１２と、この折曲部１２の側端から後方へ伸びる第２の取付部たるパネル側取付部１３と、このパネル側取付部１３と前記折曲部１２の下端から一体的に延長して設けた操作部１４とを具備してなるものである。また、このブラケット１は、前記キャビネット側取付部１１、折曲部１２及びパネル側取付部１３に跨るように水平方向に沿って矩形状に切り欠いた切欠部１５を設けている。なお、このブラケット１の素材としては、例えばスチールなど剛性を有するものを使用するのが好ましい。また、本実施形態においては、図示例のようにキャビネットＣの背面側の左右両側端近傍に配されるものである。
【００３２】
キャビネット側取付部１１は、図３に示すように側面視縦長の略矩形をなすものであり、キャビネットをブラケットに対して固定するねじＶをねじ込み可能なねじ孔ｅ１、ｅ２と、当該キャビネット側取付部１１を後スリットＳＬに挿入して係り合わせる際にガイド部として機能する傾斜部１１ａを備えたものである。ねじ孔ｅ１、ｅ２は、このキャビネット側取付部１１の上下２箇所に設けたものである。なお、ネジＶは、図示例においてはタッピングネジとしている。そして、上方側のねじ孔ｅ１は、内側板２４１及び前記補強部材６１に連通するように設けられたねじ挿通孔ｆ１に対応した位置に設けられている。また、下方側のねじ孔ｅ２は、内側板２４１及び補強部材６２に連通するように設けられたねじ挿通孔ｆ２に対応する位置に設けられている。なお、これらねじ挿通孔ｆ１、ｆ２は、本実施の形態においては、例えば金属を素材とした筒状のものを内側板２４１と、補強部材６１、６２とに貫通するように取り付けることで構成している。傾斜部１１ａは、キャビネット側取付部１１の上端後側のコーナ部分を略三角形状に切り欠いた形状に成形することで形成されるもので、前方に向かって上昇する方向に沿った傾斜を有するものである。一方、このキャビネット側取付部１１の上端１１ｂは、図９に示すように、後スリットＳＬの内部に設けられた下向き面たる天板２１の下向き面２１ａに当接するような高さ寸法に設定されており、この上端１１ｂを下向き面２１ａに当接することでキャビネットＣとブラケット１とをネジＶによって固定する際に、上下方向の位置決めができるようにしている。このキャビネット側取付部１１は、凸部、そして挿入片に該当する。
【００３３】
折曲部１２は、このキャビネット側取付部１１を後スリットＳＬに差し込んだ状態で、その前向き面１２ａを背板２３の背面に当接させて当該ブラケット１によるキャビネットＣの支持を安定化させるものである。
【００３４】
パネル側取付部１３は、パネルＰに設けられたフック孔ＦＨに引っ掛かり可能な複数のフックＦを備えたものである。このフックＦは、当該パネル側取付部１３の後端から後方へ突出するように設けられたもので、例えば型抜き加工などによって成形させたものである。また、このパネル側取付部１３の外側端面１３ａを、前記キャビネット側取付部１１を後スリットＳＬに挿入した状態において、前記外側板２４２の外側端面２４ａと面一になるように設定して、前方から見た場合にブラケット１を隠蔽させキャビネットＣの外観を良好なものとしている。
【００３５】
操作部１４は、このパネル側取付部１３と前記折曲部１２とを、その下端部分を下方に延長するように一体的に設けたものであり、すなわちパネル側取付部１３の下方に位置するものである。また、この下端１４ａを、キャビネットＣの下端位置と略一致させるかあるいは若干上方に位置するように設定して、前方から見た場合にブラケット１を隠蔽してキャビネットＣの外観を良好なものとしている。そして、図１０に示したように、前記パネル側取付部１３をパネルＰに取り付けておいて、キャビネットＣを持ち上げて後スリットＳＬと前記キャビネット側取付部１１とを近づけ、これら後スリットＳＬとキャビネット側取付部１１とを係り合わせを開始しようとする位置、すなわち後スリットＳＬ内へのキャビネット側取付部１１の挿入動作を行う寸前の係り合い準備位置（Ｊ）に配置した場合に、手で把持してこのキャビネット側取付部１１の位置調整を行うことができるものである。
【００３６】
また、上下の補強部材６１、６２は、キャビネット側取付部１１を後スリットＳＬの内部に挿入した状態でこのキャビネット側取付部１１と当接するようにその外側板２４２側への突出幅を設定して、後スリットＳＬ内部でこのキャビネット側取付部１１がぐらつくことなく安定してキャビネットＣを支持できるようにしている。
【００３７】
次に、このようなブラケット１及び取付構造を利用してキャビネットＣをパネルＰの前面Ｐ１に取り付ける場合について説明する。
【００３８】
まず、ブラケット１を、そのパネル側取付部１３をパネルに設けられたフック孔ＦＨにフックＦを引っかけて係り合わせることで、パネルＰの前面Ｐ１に対して取り付ける。次に、キャビネットＣをブラケット１よりも上方になるように持ち上げて、後方へ傾けて、後スリットＳＬと前記キャビネット側取付部１１とを近づけていく。そして、係り合い準備位置に配置したキャビネットＣ（Ｊ）の後スリットＳＬに、キャビネット側取付部１１が適正に挿入できるように、操作部１４を手で把持して操作してキャビネット側取付部１１を適正な位置に調整して、傾斜部１１ａを後スリットＳＬの開口縁部上端に当てて挿入方向に誘導されながらキャビネットＣの下端部側を後方へ回動させるようにして後スリットＳＬ内へ挿入する。また、このキャビネット側取付部１１を挿入する際に、幅方向に多少ずれた場合には、後スリットＳＬの開口縁部近傍のテーパ面Ｔに沿わせるように挿入していくようにする。そして、この状態から、キャビネットＣを下ろし、キャビネット側取付部１１の上端１１ｂが、後スリットＳＬの内部において天板２１の下向き面２１ａに当接する取付位置（Ｔ）において、内側板２４１の内側からネジＶをねじ孔ｅ１、ｅ２に止めるようにする。さらに、その前後方向の位置決めを、前記仕切り板５にキャビネット側取付部１１の前端を当接することで行うようにしてもよい。なお、予めブラケット１の前記切欠部１５に嵌まり込みキャビネットＣの背板２３に当接するかんぬきのようなものを取り付けておき、ブラケット１のパネルＰからの抜け防止を行うようにしてもよい。しかして、キャビネットＣはブラケット１に固定され、すなわち、パネルＰの前面Ｐ１に取り付けられることとなる。
【００３９】
以上詳述した取付構造を構成するブラケット１は、パネル側取付部１３をパネルＰの前面Ｐ１に取り付けた状態で、キャビネット側取付部１１をキャビネットＣの後スリットＳＬ内に挿入して係り合わせる前の係り合い準備状態（Ｊ）において、操作部１４によってこのキャビネット側取付部１１の位置調整をすることができるため、後スリットＳＬに対してスムーズに挿入することができる。
【００４０】
一方、取付構造を構成する後スリットＳＬの開口縁部近傍の補強部材６１、６２の後端部に、キャビネット側取付部１１を後スリットＳＬの内部へ誘導するテーパ面Ｔを設けたので、多少の位置調整のずれが生じたとしても、キャビネット側取付部１１を後スリットＳＬに対してスムーズに挿入することができる。特に本実施形態では、ブラケット１のパネル側取付部１３をフックＦとフック孔ＦＨとによってパネルＰに取り付けているため、フックＦとフック孔ＦＨとの接点を支点として回動する方向すなわち幅方向にずれが生じる可能性があるため、本実施の形態のテーパ面Ｔのように開口縁部に向かって幅方向に広がるようなものであると、特に有効である。
【００４１】
さらに、キャビネットＣをブラケット１に固定する際に、後スリットＳＬ内部に設けられた前記下向き面２１ａにキャビネット側取付部１１の上端１１ｂを当接するようにしているため、その上下方向の位置決めのための作業を特に行うことなく取り付けすることができる。
【００４２】
すなわち、これらの効果が相俟って、本実施の形態においては、後スリットＳＬが背面側に設けられるとともに長尺なものでありながら、この後スリットＳＬに対してキャビネット側取付部１１を極めてスムーズに挿入することができ、ブラケット１とキャビネットＣとを固定して係り合わせることができる。すなわち、キャビネットＣのパネルＰの前面Ｐ１に対する取付作業を簡単でスムーズなものとするために非常に高い効果をもたらしているｓ。
【００４３】
また、上述のように後スリットＳＬ内の下向き面２１ａにキャビネット側取付部１１の上端１１ｂを当接するようにしたことで、後スリットＳＬの開口縁部にキャビネットＣの重さが作用するのを避けることもできる。
【００４４】
操作部１４を、パネル側取付部１３の下方側に設けたので、パネルＰの比較的高い位置に取り付けられる本実施の形態のキャビネットＣを取り付ける際に、下側から操作することができ好適である。
【００４５】
また、操作部１４を、パネル側取付部１３及び折曲部１２の下端を延長して一体的に設けたものであるので、操作部１４を備えたブラケット１を簡単に製造できる上、ブラケット１自体の構成を複雑化させないようにできる。
【００４６】
なお、本発明は、上記実施形態に限られない。
【００４７】
例えば、取付部材としては、例えば正面視Ｌ字状をなすようなものなど種々挙げられる。
【００４８】
また、家具本体としては、本実施の形態のキャビネットＣのみならず引出家具や棚付家具などであってもよい。
【００４９】
その他、各部の具体的構成についても上記実施形態に限られるものではなく、本発明の趣旨を逸脱しない範囲で種々変形が可能である。
【００５０】
【発明の効果】
本発明は、以上説明したような形態で実施され、以下に記載されるような効果を奏する。
【００５１】
すなわち、本願発明の請求項１記載の取付部材によれば、この取付部材を所定の取付面に対して取り付けた状態で、操作部によって第２の取付部の位置調整を行いながらこの第２の取付部と家具本体とを係り合わせていくことができ、スムーズに家具本体を取り付けることができる。すなわち、従来は、スムーズに行うことが難しいものであった家具本体の背面を所定の取付面に対面させて取り付けるという取付作業を簡単でスムーズなものとすることができる。
【００５２】
また、本願発明の請求項５記載の取付構造によれば、家具本体又は取付部材のどちらか一方に設けられた凸部を他方に設けられた凹部に挿入して係り合わせる際に、凸部をテーパ面に沿わせるようにスムーズに挿入していくことができ、すなわち、家具本体の背面を所定の取付面に対面させて取り付けるための取付作業を簡単でスムーズなものとすることができる。
【００５３】
また、本願発明の請求項６記載の取付構造によれば、スリットに挿入片を挿入させて重力に従って下ろすだけで、家具本体の取付部材に対する上下方向の位置決めができ、家具本体の背面を所定の取付面に対面させて取り付ける取付作業を簡単でスムーズなものとすることができる。
【図面の簡単な説明】
【図１】本発明の一実施形態を適用したキャビネットを示す全体図。
【図２】図１におけるキャビネットの動作を示す説明図。
【図３】同実施形態のブラケットを示す側面図。
【図４】同実施形態のブラケットを示す平面図。
【図５】同実施形態のブラケットを示す正面図。
【図６】同実施形態の取付構造を示す説明図。
【図７】同実施形態の取付構造を示す説明図。
【図８】図１におけるＸ−Ｘ断面図。
【図９】図１におけるＹ−Ｙ断面図。
【図１０】同実施形態におけるキャビネットの取り付けの様子を示す説明図。
【符号の説明】
１・・・取付部材（ブラケット）
１１・・・第１の取付部、挿入片（キャビネット側取付部）
１１ａ・・・ガイド部（傾斜部）
１１ｂ・・・挿入片の上端（キャビネット側取付部の上端）
１３・・・第２の取付部（パネル側取付部）
１４・・・操作部
２１ａ・・・下向き面
Ｃ・・・家具本体（キャビネット）
Ｐ１・・・取付面（パネルの前面）
ＳＬ・・・スリット、凹部（後スリット）
Ｔ・・・テーパ面
【図１】
0004259801.tif 000002
【図２】
0004259801.tif 000003
【図３】
0004259801.tif 000004
【図４】
0004259801.tif 000005
【図５】
0004259801.tif 000006
【図６】
0004259801.tif 000007
【図７】
0004259801.tif 000008
【図８】
0004259801.tif 000009
【図９】
0004259801.tif 000010
【図１０】
0004259801.tif 000011